(57)【特許請求の範囲】
【請求項１】
樹脂材料からなり、止め輪（２２）が配される第１の溝部（２１）とゴム製のＯリング（２５）が配される第２の溝部（２４）とが形成される雄側配管（２０）と、
金属材料からなり、前記雄側配管（２０）の外周部に遊嵌するとともに、抜け止めされている袋ナット（２３）と、
金属材料からなり、その一端（１３ａ）側から前記雄側配管（２０）が内挿されるとともに、その一端（１３ａ）側の外周部に雄ネジ（１３１）が形成される雌側配管（１３）とを備え、
前記雌側配管（１３）の内周部には、シール部材（３）を介して前記雄側配管（２０）の一端（２０ａ）側を支持する支持部（１３４）が形成されており、
前記袋ナット（２３）の内周部は、前記雄ネジ（１３１）と螺合する雌ネジ（２３３）と、前記雌ネジ（２３３）よりも内方へ突出し、前記雌側配管（１３）の前記一端（１３ａ）に当接する当接部（２３２）と、前記当接部（２３２）よりも内方へ突出し、前記止め輪（２２）に当接する抜け止め部（２３１）とを有しており、
前記雌側配管（１３）の前記支持部（１３４）と前記雄側配管（２０）の前記一端（２０ａ）側とを、前記シール部材（３）を介して当接させた後、前記袋ナット（２３）の前記当接部（２３２）と前記雌側配管（１３）の前記一端（１３ａ）側とが当接するまで、前記袋ナット（２３）を前記雌側配管（１３）の前記雄ネジ（１３１）に螺合させることにより、前記シール部材（３）の圧縮代を所定量に規制しつつ前記雄側配管（２０）と前記雌側配管（１３）とを接続することを特徴とする配管接続構造。
【発明の詳細な説明】
【０００１】
【発明の属する技術分野】
本発明は、袋ナットを用いた配管接続構造に関するものである。
【０００２】
【従来の技術】
従来の配管接続構造は、図２に示すように、雄側配管部２０の外周部に固定された止め輪２２により、袋ナット２３を抜け止めし、住宅等に既設された雌側配管部１３に上記雄側配管部２０を内挿した状態で、雌側配管部１３と雄側配管部２０とを袋ナット２３によりネジ結合するものである。
【０００３】
このような構造では、袋ナット２３の雄ネジ１３１への螺合代ｄが規制されないので、雄側配管部２０の鍔状部２７と、雌側配管部１３の段付き部１３４との間に介在するパッキン３の圧縮代を規制できない。よって、パッキン３を圧縮しすぎる恐れがあり、パッキン３の劣化が進行しやすくなってしまう。
これに対して、図３に示すように、上記止め輪２２に替えて雄側配管部２０の外周部に環状突出部２０１を一体成形したものを本発明者らが考案した。これによれば、環状突出部２０１により、袋ナット２３が図２中下方向に対して抜け止めされるとともに、袋ナット２３の雄ネジ１３１への螺合代ｄが規制される。
【０００４】
【発明が解決しようとする課題】
ところで、雌側配管部１３、雄側配管部２０、および袋ナット２３は金属製であったが、近年、本発明者らは、低コスト化および軽量化を図るために、雄側配管部２０を樹脂材料により形成することを試みている。
ところが、図３に示す配管接続構造では、樹脂製の環状突出部２０１が、金属製の袋ナット２３と、金属製の雌側配管部１３の一端１３ａとの間で常に圧縮された状態となり、この環状突出部２０１に袋ナット２３の締めつけ力が直接作用するようになっている。一般に、樹脂材料は金属材料に比べて比較的低強度であるので、長期間の使用に当たっては、雄側配管部２０の環状突出部２０１が損傷する恐れがある。
【０００５】
本発明は上記問題に鑑みてなされたもので、シール部材の圧縮代を適正値に規制できる配管接続構造において、樹脂製の雄側配管に金属製の袋ナットの締めつけ力が直接作用しないようにすることを目的とする。
【０００６】
【課題を解決するための手段】
上記目的を達成するため、請求項１に記載の発明では、金属製の雌側配管（１３）の支持部（１３４）と、樹脂製の雄側配管（２０）の一端（２０ａ）側とを、シール部材（３）を介して当接させた後、金属製の袋ナット（２３）の当接部（２３２）と雌側配管（１３）の一端（１３ａ）側とが当接するまで、袋ナット（２３）を雌側配管（１３）の雄ネジ（１３１）に螺合させることにより、シール部材（３）の圧縮代を所定量に規制しつつ雄側配管（２０）と雌側配管（１３）とを接続することを特徴としている。
【０００７】
このような構成によれば、金属製の袋ナット（２３）の当接部（２３２）と金属製の雌側配管（１３）の一端（１３ａ）側とを当接した状態とすることで、シール部材（３）の圧縮代が所定量に規制される。従って、雄側配管（２０）に金属製の袋ナット（２３）の締めつけ力が直接作用しないので、低コストで軽量な樹脂製の雄側配管（２０）の損傷を防止でき、長期にわたって信頼性の高い製品が得られる。
【０００８】
【発明の実施の形態】
以下、本発明の実施形態を図１に基づいて説明する。
本実施形態は、男性用トイレに既設されたプッシュボタン式の洗浄弁において、プッシュボタン式の弁ユニットに替えて、自動式の弁ユニット２を配管部１に取り付ける配管接続構造に関するものである。
【０００９】
配管部１は、男性用トイレに既設されたもので、金属材料からなる。この配管部１は、入口配管部１１および出口配管部１２とを備え、入口配管部１１は、図示しない水道配管からの水を弁ユニット２の入口部２ａに導くもので、出口配管部１２は弁ユニット２の出口部２ｂからの水を図示しない吐水口へ導くものである。さらに、配管部１において、入口配管部１１と出口配管部１２との間に雌側配管部１３を備えており、この雌側配管部１３に、弁ユニット２の雄側配管部２０が内挿されている。
【００１０】
雌側配管部１３は、雄側配管部２０の本体部２９の外径よりもわずかに大きい内径の大径部１３２と、この大径部１３２よりも内径の小さい小径部１３３とを備えている。大径部１３２と小径部１３３との境には、段付き形状の支持部１３４が形成されており、この支持部１３４に、環状でゴム製のパッキン３が配置されている。また、雌側配管部１３の一端１３ａ側の外周部には雄ネジ１３１が形成されている。
【００１１】
雄側配管部２０は、低コスト化および軽量化のために樹脂材料から形成されており、本体部２９と、この本体部２９と一端２０ａとの間に形成された薄肉状円筒部２６を備えている。薄肉状円筒部２６の外周部には、上記一端２０ａ側に位置する環状の小突出部２８と、この小突出部２８よりも本体部２９側に位置する鍔状部２７とが形成されている。これら鍔状部２７および小突出部２８により、パッキン３の内周部を保持するパッキン保持部を形成している。
【００１２】
なお、上記支持部１３４と上記パッキン保持部にて形成される、パッキン３が配置される空間の幅ｌは、自然状態におけるパッキン３の幅程度となっている。そして、雌側配管部１３と薄肉状円筒部２６との間に、弁ユニット２の上記入口部２ａが構成され、入口部２ａに供給された水は、本体部２９に形成された水通路２ｃを通って弁機構部２ｄへ導かれ、さらに、弁機構部２ｄから出口部２ｂへ導かれるようになっている。
【００１３】
本体部２９の外周部には、環状の第１、第２溝部２１、２４が形成され、第１溝部２１には、環状で金属製の止め輪２２が配置され、第２溝部２４には環状でゴム製のＯリング２５が配置されている。また、雄側配管部２０の外周部には、金属製の袋ナット２３が遊嵌されており、この袋ナット２３には、止め輪２２に当接する抜け止め部２３１と、雌側配管部１３の一端１３ａに当接する当接部２３２と、雌ネジ２３３とが備えられている。因みに、袋ナット２３の内周部は、雌ネジ２３３よりも当接部２３２が内方へ突出し、当接部２３２よりも抜け止め部２３１が内方へ突出するような段付き形状である。
【００１４】
そして、抜け止め部２３１が止め輪２２に当接することにより、袋ナット２３が雄側配管部２０の一端２０ａ方向に抜け止めされ、袋ナット２３の雌ネジ２３３を雌側配管部１３の雄ネジ１３１に螺合させることで、雌側配管部１３に雄側配管部２０が接続される。ここで、当接部２３２が雌側配管部１３の一端１３ａに当接することにより、雌ネジ２３３と雄ネジ１３１との螺合代ｄが所定量に規制される。この結果、雌側配管部１３の支持面１３４と雄側配管部２０の鍔状部２７との間において、パッキン３が、軸方向（図１中上下方向）に関して所定の圧縮代だけ圧縮された状態で配置される。
【００１５】
なお、本実施形態では、パッキン３の自然状態の厚さは３ｍｍで、図１に示す圧縮状態の厚さが２．４ｍｍとなるように、つまり、パッキン３の圧縮率が２０％となるように、上記螺合代ｄを決定した。ここで、螺合代ｄは、袋ナット２３を形成する際に、雌ネジ２３３の深さ、および、第１溝部２１の位置を調整することにより規制できる。
【００１６】
そして、本実施形態によれば、金属製の袋ナット２３の当接部２３２と、金属製の雌側配管部１３の一端１３ａとが当接するまで、袋ナット２３の雌ネジ２３３を雌側配管部１３の雄ネジ１３１に螺合させることにより、パッキン３の圧縮代を所定量に規制しつつ、雌側配管部１３に雄側配管部２０を接続できる。
従って、雄側配管部２０に金属製の袋ナット２３の締めつけ力が直接作用しないので、樹脂製の雄側配管部２０が破損する恐れを防止できる。
【００１７】
なお、上記実施形態では、パッキン３の厚さ方向の圧縮率が２０％となるように螺合代ｄを決定しているが、本発明はこれに限定されることはなく、圧縮率を２０％より大きくてもよいし、小さくてもよい。因みに、パッキン３の厚さ方向の圧縮率を１０〜３０％程度とするのが好ましい。
また、上記実施形態では、本発明を洗浄弁１における配管接続構造に適用していたが、他の種々の用途の配管接続構造に適用してもよい。
【図面の簡単な説明】
【図１】本実施形態の配管接続構造を示す部分断面図である。
【図２】従来技術の配管接続構造を示す部分断面図である。
【図３】本発明者らの考案した配管接続構造を示す部分断面図である。
【符号の説明】
２０…雄側配管部、２３…袋ナット、２３２…当接部、１３…雌側配管部、
１３１…雄ネジ、１３４…支持部、３…パッキン（シール部材）。
【図１】
0003629804.tif 000002
【図２】
0003629804.tif 000003
【図３】
0003629804.tif 000004